(57)【要約】【課題】安価で、取り付け・操作が簡単であり、必要な警戒情報を的確に知らせることができる入出警報装置を提供する。【解決手段】リードスイッチ１１Ａよりのドア開信号を受け、ドア２１の開動作の回数を計数するカウンタ１１Ｂａと、警戒状態でドア２１の開動作の回数が２回であると計数したときには、一定の待機時間が経過した後に、スピーカ１１Ｄに対し警報信号を出力する一方、ドア２１の開動作の回数が３回以上であると計数したときに、警報信号を直ちに出力する信号出力手段１１Ｂｂとを備える。この警報信号の出力によりスピーカ１１Ｄが鳴動して警報音が出力される。【選択図】  図２
2008059130.tif 000002
【特許請求の範囲】
【請求項１】
ドアまたはドア枠の一方に取り付けられる警報器本体と、前記ドアまたはドア枠の他方に取り付けられるマグネットで構成され、前記警報器本体が、前記マグネットとの位置関係で前記ドアの開閉動作を検出するドア開閉検出手段と、前記ドア開閉検出手段よりの信号を受け警報信号を出力する制御手段と、前記制御手段よりの警報信号を受け警報音を出力する警報手段とを備える入出警報装置であって、
前記警報器本体およびマグネットは、室内側に取り付けられ、
前記警報本体は、電源部から前記制御手段に開閉スイッチを介して電力を供給する構成とされ、
前記制御手段は、前記ドア開閉検出手段よりの信号を受け前記ドアの開動作の回数を計数するカウンタと、前記カウンタに接続され前記カウンタが前記ドアの開動作が２回であると計数したときに、一定の待機時間を経過した後に、前記警報手段に対し前記警報信号を出力する一方、前記カウンタが前記ドアの開動作の回数が３回であると計数したときに、前記警報信号を直ちに出力する信号出力手段とを備えることを特徴とする入出警報装置。
【請求項２】
前記ドア開閉検出手段は、リードスイッチで、
前記リードスイッチが、前記制御手段および警報手段を収納するケーシング内に収納されていることを特徴とする請求項１記載の入出警報装置。
【請求項３】
前記ドア開閉検出手段は、リードスイッチで、
前記リードスイッチが、前記制御手段および警報手段を収納するケーシングの外部に設けられていることを特徴とする請求項１記載の入出警報装置。
【請求項４】
前記信号出力手段は、前記カウンタが前記ドアの開動作が２回であると計数したときには、第１の設定時間の間だけ警報信号を出力する一方、前記カウンタが前記ドアの開動作の回数が３回であると計数したときには、第１の設定時間よりも短い第２の設定時間の間だけ警報信号を出力することを特徴とする請求項１〜３のいずれかに記載の入出警報装置。
【請求項５】
前記信号出力手段は、前記開閉スイッチが閉の状態で、前記カウンタが前記ドアの開動作の回数が４回以上であると計数したときにも、第２の設定時間の間だけ、前記警報信号を出力することを特徴とする請求項１〜３のいずれかに記載の入出警報装置。
【発明の詳細な説明】
【技術分野】
【０００１】
本発明は、集合住宅などの玄関ドアに取り付け、帰宅時に玄関ドアを開放したときに、不在状況（留守）下での侵入者の有無を警報音で判定できる入出警報装置に関するものである。
【背景技術】
【０００２】
従来、留守宅に不審者の侵入があった場合に、インターネットや公衆回線を通じて即時に携帯電話に知らせるシステムや、ワイヤレス警報システムで、帰宅時に携帯型モニターにより留守宅への侵入の有無を確認するためのシステムが多数提案されている。
【０００３】
そのような防犯装置として、室内に設けられ防犯センサのセット・リセットのための制御手段を装備する室内ユニットと、室外に設けられ前記防犯センサからのオン信号に基づいて異常を報知する異常報知手段を備えた室外ユニットと、前記異常報知手段をリモート制御でリセットするリセットユニットとを備え、前記異常報知手段は、少なくとも、前記防犯センサ側に対する前記制御手段のリセットに影響されずにセット状態を維持し、前記防犯センサからのオン信号に基づいて異常を継続報知するように構成し、外出からの帰宅時に部屋に入る前に、異常があったかどうかを確認できるようにしたものが知られている（例えば、特許文献１参照）。
【特許文献１】特開２００３−４４９４７号公報（段落０００９および図２）
【発明の開示】
【発明が解決しようとする課題】
【０００４】
しかしながら、前述したものは、室内ユニット、室外ユニットおよびリセットユニットを必要とするので、高価であり、また、取扱方法も複雑である。
【０００５】
この発明は、安価で、取り付け・操作が簡単であり、必要な警戒情報を的確に知らせることができる入出警報装置を提供することを目的とする。
【課題を解決するための手段】
【０００６】
請求項１の発明は、ドアまたはドア枠の一方に取り付けられる警報器本体と、前記ドアまたはドア枠の他方に取り付けられるマグネットで構成され、前記警報器本体が、前記マグネットとの位置関係で前記ドアの開閉動作を検出するドア開閉検出手段と、前記ドア開閉検出手段よりの信号を受け警報信号を出力する制御手段と、前記制御手段よりの警報信号を受け警報音を出力する警報手段とを備える入出警報装置であって、前記警報器本体およびマグネットは、室内側に取り付けられ、前記警報本体は、電源部から前記制御手段に開閉スイッチを介して電力を供給する構成とされ、前記制御手段は、前記ドア開閉検出手段よりの信号を受け前記ドアの開動作の回数を計数するカウンタと、前記カウンタに接続され前記カウンタが前記ドアの開動作が２回であると計数したときに、一定の待機時間を経過した後に、前記警報手段に対し前記警報信号を出力する一方、前記カウンタが前記ドアの開動作の回数が３回であると計数したときに、前記警報信号を直ちに出力する信号出力手段とを備えることを特徴とする。
【０００７】
このようにすれば、居住者が外出などするために開閉スイッチを閉状態とした場合には、最初のドアの開動作で、警戒状態になり、カウンタがドアの開動作が１回であるとカウントする。それから次のドアの開動作で、カウンタがドアの開動作が２回であると計数したときに、そのドアの開動作から一定の待機時間が経過した後、信号出力手段によって警報信号が警報手段に出力され、警報音が出力される。この場合、前記一定の待機時間が経過するまでに前記開閉スイッチを開状態にすれば、警報信号が警報手段に出力されず、警報音が出力されることもない。よって、入出警報装置が設置された住宅の居住者がドアを開放した場合には、前記装置を設置していることを知っているので、前記一定の待機時間が経過するまでに開閉スイッチを開状態とすることで、警報音の出力を未然に回避することができる。一方、住宅の居住者でない第三者がドアを開放した場合には、この第三者は前記入出警報装置が設置されていることを通常知らないので、前記一定の待機時間が経過するまでに前記開閉スイッチが開状態にされることはない。よって警報音が出力されることになり、住宅に侵入しようとする第三者を警報音によって威嚇することができる。
【０００８】
また、留守中に第三者が侵入している場合には、居住者が帰宅してドアを開放すると、その開動作によって直ちに警報音が出力されるので、帰宅した際に、住宅内に入るまでもなく、帰宅した居住者は第三者が留守中に住宅内に侵入したことを知ることができる。
【０００９】
この場合、請求項２に記載のように、前記ドア開閉検出手段は、リードスイッチで、前記リードスイッチが、前記制御手段および警報手段を収納するケーシング内に収納されている構成とすることができる。
【００１０】
このようにすれば、リードスイッチ（ドア開閉検出手段）、制御手段および警報手段が共通のケーシング内に収納されるので、警報器本体の取り扱いが容易となる。
【００１１】
また、請求項３に記載のように、前記ドア開閉検出手段は、リードスイッチで、前記リードスイッチが、前記制御手段および警報手段を収納するケーシングの外部に設けられている構成とすることもできる。
【００１２】
このようにすれば、ドアの上部にマグネットおよびリードスイッチを設ける場合に、制御手段および警報手段を収納するケーシングを、ドアノブ近傍等の操作しやすい位置や、侵入者に見つかりにくい位置に、前記リードスイッチとは離して設置することができる。
【００１３】
請求項４に記載のように、前記信号出力手段は、前記カウンタが前記ドアの開動作が２回であると計数したときには、第１の設定時間の間だけ警報信号を出力する一方、前記カウンタが前記ドアの開動作の回数が３回であると計数したときには、第１の設定時間よりも短い第２の設定時間の間だけ警報信号を出力する構成とすることが望ましい。
【００１４】
このようにすれば、カウンタが、ドアの開動作の回数が３回であると計数したときには、居住者が帰宅した際に、第三者の侵入があったことを前記居住者に知らせる場合であり、威嚇する必要がなく、また、侵入者が住宅内にいる場合も考えられるので、警報音の出力時間を短くして、侵入者に帰宅を知らせることを極力回避して、帰宅した居住者に侵入があったことを知らせることができる。
【００１５】
請求項５に記載のように、前記信号出力手段は、前記開閉スイッチが閉の状態で、前記カウンタが前記ドアの開動作の回数が４回以上であると計数したときにも、第２の設定時間の間だけ、前記警報信号を出力する構成とすることが望ましい。
【００１６】
このようにすれば、侵入者が最初の警報音に驚いて、数回ドアを開閉した場合でも、帰宅時に、警報音により第三者の侵入があったことを居住者に知らせることができる。
【発明の効果】
【００１７】
以上のように、本発明は、カウンタがドアの開動作が２回であると計数したときに、その開動作後一定の待機時間が経過した後、警報音を出力するようにしているので、居住者は、前記一定の待機時間が経過するまでに前記開閉スイッチを開状態にすることで、警報音の出力を未然に回避できる一方、留守中に第三者が侵入していると、ドアの開動作によって警報音を直ちに出力するので、居住者が帰宅した際に、留守中に、第三者が住宅内に侵入したかどうかを、帰宅した居住者はすぐに知ることができる。
【発明を実施するための最良の形態】
【００１８】
以下、本発明の実施の形態を図面に沿って説明する。
【００１９】
図１は本発明に係る入出警報装置の取付状態を、ドアの内側から見て示す説明図、図２は前記警報装置の回路構成を示すブロック図である。
【００２０】
図１に示すように、警報装置１は、警報器本体１１と、マグネット１２とにより構成され、警報器本体１１はドア２１に取り付けられ、マグネット１２は警報器本体１１に対応してドア枠（図示せず）に取り付けられる。なお、警報器本体１１およびマグネット１２は、外部から見えないように室内側に設けられる。
【００２１】
図２に示すように、警報器本体１１は、リードスイッチ１１Ａ（ドア開閉検出手段）と、マイコン１１Ｂ（制御手段）と、増幅部１１Ｃと、スピーカ１１Ｄ（警報手段）と、電源部１１Ｅ（例えば乾電池）と、開閉スイッチ１１Ｆとを備える。そして、リードスイッチ１１Ａ、マイコン１１Ｂ、増幅部１１Ｃ、スピーカ１１Ｄおよび電源部１１Ｅがケーシング１１Ｇ内に収納され、そのケーシング１１Ｇの表面に開閉スイッチ１１Ｆが配置されている。開閉スイッチ１１Ｆは、マイコン１１Ｂおよび増幅部１１Ｃに電力を供給する電源部１１Ｅとマイコン１１Ｂとの間に設けられるもので、開閉操作することでスピーカ１１Ｄを鳴動して警報音の出力が可能である警戒状態にしたり、そのような警戒状態を解除したりすることができるものである。
【００２２】
リードスイッチ１１Ａは、マグネット１２との距離が、ドア２１が開放されて第１の設定距離Ｌ１以上になると、そのドア２１の開動作を検出してドア開信号を出力する一方、マグネット１２との距離が第２の設定距離Ｌ２（＞Ｌ１）以下になると、ドア２１の閉動作を検出してドア閉信号をマイコン１１Ｂに対し出力する構成とされている。ただし、第１の設定距離Ｌ１は例えば５〜１０ｍｍの範囲であり、第２の設定距離Ｌ２は例えば１５〜２０ｍｍの範囲である。
【００２３】
マイコン１１Ｂは、リードスイッチ１１Ａよりのドア開信号を受けドア２１の開動作の回数を計数するカウンタ１１Ｂａと、開閉スイッチ１１Ｆが「ＯＮ」の状態（閉の状態）でカウンタ１１Ｂａがドア２１の開動作の回数を２回と計数したときに、第２回目のドア２１の開動作時から一定の待機時間ΔＴ１が経過した後に、増幅部１１Ｃに対し警報信号を出力する一方、カウンタ１１Ｂａがドア２１の開動作の回数が３回以上であると計数したときに、前記警報信号を直ちに出力する信号出力手段１１Ｂｂとを備え、警報信号は、増幅部１１Ｃで増幅されて、スピーカ１１Ｄを鳴動して、警報音を出力するようになっている。よって、ドア２１の開動作後、一定の待機時間ΔＴ１が経過するまでに開閉スイッチ１１Ｆを「ＯＦＦ」の状態（開の状態）にすれば、警報信号は出力されず、スピーカ１１Ｄから警報音は出力されない。
【００２４】
また、信号出力手段１１Ｂｂは、図３に示すように、ドア２１の開動作が２回であるとカウンタ１１Ｂａが計数したときには、第１の設定時間ΔＴ２の間だけ警報信号を出力する一方、ドア２１の開動作の回数が３回であるとカウンタ１１Ｂａが計数したときには、第１の設定時間ΔＴ２よりも短い第２の設定時間ΔＴ３の間だけ警報信号を出力するように構成されている。つまり、ドア２１の開動作が３回であるときの方が、ドア２１の開動作が２回であるときよりもスピーカの１１Ｄの鳴動時間、つまり警報音の出力時間が短くなるように２種類の警報信号が出力されるようになっている。
【００２５】
ここで、第２回目のドア２１の開動作による警報音が、第３回目以降のドア２１の開動作による警報音よりも、結果として出力時間を長くしているのは次の理由による。
【００２６】
第２回目のドア２１の開動作において、開閉スイッチ１１Ｆが「ＯＦＦ」の状態とされることなく警報音が出力されるのは、居住者ではない第三者の侵入によるドア２１の開動作と考えられるので、侵入者（第三者）を威嚇して、住宅内への侵入を断念させるためである。つまり、第１回目のドア２１の開動作は、居住者が外出時に行うものであり、第２回目のドア２１の開動作は通常居住者の帰宅時に行われるものであるが、一定の待機時間ΔＴ１が経過しても、開閉スイッチ１１Ｆが「ＯＦＦ」の状態とされないのは、居住者以外の第三者がドア２１を開放したと考えられるからである。
【００２７】
また、信号出力手段１１Ｂｂは、カウンタ１１Ｂａがドア２１の開動作が３回以上であると計数すると、第１の設定時間ΔＴ２よりも短い第２の設定時間ΔＴ３の間だけ警報信号を出力するのは、次の理由による。
【００２８】
居住者の帰宅時において、侵入者がまだ住宅内に残っている場合も考えられるので、そのような場合であっても、侵入者に知られることなく、帰宅した居住者に、留守中に住宅内に第三者の侵入があったことを報知するためである。
【００２９】
さらに、ドア２１の開動作が３回だけでなく、４回以上である場合にも、警報音を出力するのは、次の理由による。
【００３０】
侵入者が最初の警報音に驚いて、数回ドアを開閉した場合でも、居住者が帰宅したときに、第三者の侵入があったことを居住者に確実に知らせることができるようにするためである。
【００３１】
続いて、上記装置１の使用方法について、図３に沿って説明する。
【００３２】
例えば居住者の外出など、住宅を留守にする場合には、ドア２１が閉じている状態で、警報器本体１１の開閉スイッチ１１Ｆを「ＯＮ」の状態にする必要がある。次に、ドア２１を開放して外に出て、ドア２１を閉じると、警戒状態に移行する。なお、開閉スイッチ１１Ｆを「ＯＮ」の状態にした後、一定時間を経過すると、自動的に警戒状態になる構成とすることも可能である。
【００３３】
この開閉スイッチ１１Ｆが「ＯＮ」の状態にされた警戒状態で、ドア２１が開放されたときには、開閉スイッチ１１Ｆが「ＯＦＦ」の状態にされることなく、一定の待機時間ΔＴ１だけ経過すると、スピーカ１１Ｄが鳴動して、第１の設定時間ΔＴ２の間だけ警報音が出力される。一定の待機時間ΔＴ１内に、開閉スイッチ１１Ｆを「ＯＦＦ」の状態にすると、警戒状態が解除され、警報音は出力されない。また、警報音が出力されているときに、開閉スイッチ１１Ｆを「ＯＦＦ」の状態にすれば、第１の設定時間ΔＴ２の経過途中であっても、警報音の出力が停止される。よって、居住者が、開閉スイッチ１１Ｆを「ＯＦＦ」の状態にするのを忘れて、誤って警報音の出力がなされても、開閉スイッチ１１Ｆを「ＯＦＦ」の状態にすることによって警報音の出力をすぐに停止することができる。
【００３４】
また、警報音の出力中あるいは出力停止後に、開閉スイッチ１１Ｆが「ＯＦＦ」の状態にされることなく、ドア２１の閉動作がなされ、その後、居住者が帰宅してドア２１が開放されると、直ちに（ドア２１の開動作と同時に）、第２の設定時間ΔＴ２の間だけ警報音が出力される。この警報音により、留守中（つまり警戒状態になった時点から現在のまでの間）に、その住宅の居住者以外の第三者の侵入があったことが、帰宅した居住者に知らされる。
【００３５】
この第２の設定時間ΔＴ２の間だけ出力される警報音は、帰宅した居住者に留守中に第三者の侵入があったことを知らせるだけであるので、第１の設定時間ΔＴ１の間だけ出力される警報音より音量は低くてもよい。また、このようにすることは、侵入者がまだ住宅内に残っている場合もあるので、そのような場合に、その侵入者に帰宅を知られないようにして安全を確保する上でも有利である。
【００３６】
一方、居住者が帰宅してドア２１が開放されても、警報音の出力がなければ、留守中に第三者の侵入はなかったことがわかる。この場合には、警報音が出力されないように、警報器本体１１の開閉スイッチ１１Ｆを「ＯＦＦ」の状態にする必要がある。
【００３７】
さらに、開閉スイッチ１１Ｆを「ＯＦＦ」の状態にするまで、３回以降のドア２１の開動作によっても警報音が出力されるので、侵入者が住宅に侵入する際にドア２１の開動作を複数回繰り返していても、帰宅した居住者に留守中に第三者の侵入があったことを知ることができる。
【００３８】
よって、例えば集合住宅などで一人住まいの女性などが帰宅時に、ドア２１を開くと、留守中に住宅内に第三者の侵入があった場合には、注意を喚起するための警報音が直ちに出力される一方、侵入がない場合にはドア２１を開放しても、一定の待機時間が経過するまで警報音は出力ない。よって、帰宅時にドアを開放した際における警報音の有無によって、住宅内に安心して入れるかどうかを直ちに判断することができる。
【００３９】
以上説明したほか、本発明は、次のように変更して構成することも可能である。
【００４０】
(i)前記実施の形態では、警報器本体１１をドア２１に、マグネット１２をドア枠に取り付けているが、逆に、警報器本体１１をドア枠に、マグネット１２をドア２１に取り付ける構成とすることも可能である。
【００４１】
(ii)前記実施の形態では、前記ドア開閉検出手段としてのリードスイッチ１１Ａが、マイコン１１Ｂ（制御手段）およびスピーカ１１Ｄ（警報手段）を収納するケーシング１１Ｇ内に収納される構成としているが、前記リードスイッチ１１Ａを、マイコン１１Ｂおよびスピーカ１１Ｄを収納するケーシング１１Ｇの外部に設ける構成とすることも可能である。このようにすれば、ケーシング１１Ｇの表面に設けられる開閉スイッチ１１Ｆなどの操作がやりやすくなる。つまり、通常玄関ドアの高さは１８００ｍｍ〜２１００ｍｍと比較的高く形成されており、このようなドアの上部に警報器本体１１のケーシング１１Ｇを設置した場合には、平均的な身長の使用者であれば、ケーシング１１Ｇの表面に設けられる開閉スイッチ１１Ｆが上方に位置し、それの開閉操作をやりずらい。そのため、例えば図４に示すように、リードスイッチ１１Ａおよびマグネット１２をドア２１の上部に配置しても、ケーシング１１Ｇをそれらより下方（例えばドアノブ近傍）に配置することで、開閉スイッチ１１Ｆの開閉操作などを、使用者が手を伸ばしたりすることなく行うことができるようになり、操作がやりやすくなる。また、前記ケーシングをリードスイッチ１１Ａから離れた場所に設置できるようになれば、侵入者に見つかりにくい場所に設置することもできるようになる。ここで、リードスイッチ１１Ａとケーシング１１Ｇとはリード線１１Ｈで接続されているが、無線式とすることも可能であるのはもちろんである。
【００４２】
(iii)上記(ii)においては、リードスイッチ１１Ａをケーシング１１Ｇの外部に設けているが、リードスイッチ１１Ａに代えて開閉スイッチ１１Ｆをケーシング１１Ｇの外部に設けるようにして、開閉スイッチ１１Ｆを、それの操作がやりやすくなる位置に設置する構成とすることも可能である。
【図面の簡単な説明】
【００４３】
【図１】本発明に係る入出警報装置の取付状態を、ドアの内側から見て示す説明図である。
【図２】前記警報装置の回路構成を示すブロック図である。
【図３】ドアの開閉動作、警戒状態および警報の関係を示すタイムチャート図である。
【図４】ドアの開閉動作、警戒状態および警報の関係を示すタイムチャート図である。
【符号の説明】
【００４４】
１    入出警報装置
１１    警報器本体
１１Ａ    リードスイッチ
１１Ｂ    マイコン
１１Ｂａ    カウンタ
１１Ｂｂ    信号出力手段
１１Ｄ    スピーカ
１１Ｅ    電源部
１１Ｆ    開閉スイッチ
１１Ｇ    ケーシング
１２    マグネット
２１    ドア
【図１】
2008059130.tif 000003
【図２】
2008059130.tif 000004
【図３】
2008059130.tif 000005
【図４】
2008059130.tif 000006